(57)【要約】【課題】就寝時にバストを締め付ける圧迫感が少ないにもかかわらず、バストの形崩れや横流れを効果的に防止することができるカップ部を有する衣類。【解決手段】前身生地と後身生地により胸回りを被覆するカップ部を有する衣類であって、前身生地の裏には乳房を被覆可能な２つのパッドと、前身生地の裏地を構成し前記パッドの辺部に縫着された肌側身生地と、前記パッドの辺部に縫着され２つのパッド同士を連接する伸縮性生地とを備え、さらに着用者の胸部横から脇下にかけて前記前身生地に伸縮性生地の裏当てが縫着されたことを特徴とするカップ部を有する衣類。【選択図】図５
2013213304.tif 000002
【特許請求の範囲】
【請求項１】
前身生地と後身生地により胸回りを被覆するカップ部を有する衣類であって、前身生地の裏には乳房を被覆可能な２つのパッドと、前身生地の裏地を構成し前記パッドの辺部に縫着された肌側身生地と、前記パッドの辺部に縫着され２つのパッド同士を連接する伸縮性生地とを備え、さらに着用者の胸部横から脇下にかけて前記前身生地に伸縮性生地の裏当てが縫着されたことを特徴とするカップ部を有する衣類。
【請求項２】
前記パッドがモールド加工により略三角形に形成されていることを特徴とする請求項１に記載のカップ部を有する衣類。
【請求項３】
前記前身生地が、着用者の胸部を被覆する胸被覆部と、該胸被覆部の端部より脇下および肩部へと延設する脇部から構成され、さらに、前記後身生地が、前記脇部の端部より背中側および肩へと延設し、肩上において脇部の上端と縫着されていることを特徴とする請求項１または２に記載のカップ部を有する衣類。  
【請求項４】
前記前身生地が、着用者の胸部を被覆する胸被覆部と、該胸被覆部の端部より脇下および肩部へと延設する脇部から構成され、該前身生地および該脇部の下端には着用者の胴部を被覆する前身頃が縫着され、さらに、該前身頃と同じ丈の長さになるよう形成された前記後身生地が、脇部と前身頃の端部より背中側および肩へと延設し、肩上において脇部の上端と縫着されていることを特徴とする請求項１または２に記載のカップ部を有する衣類。
【請求項５】
前記伸縮性生地の裏当てが前記脇部に縫着されていることを特徴とする請求項１ないし４のいずれか１項に記載のカップ部を有する衣類。  
【請求項６】
前記２つのパッド同士を連接する伸縮性生地とパッドの横から脇部にかけて設けられた伸縮性生地がパワーネットであることを特徴とする請求項１ないし５のいずれか１項に記載のカップ部を有する衣類。
【発明の詳細な説明】
【技術分野】
【０００１】
本発明は、女性用の就寝時に着用するためのハーフトップやキャミブラ等のカップ部を有する衣類に関する。
【背景技術】
【０００２】
従来、就寝時にブラジャーに代表されるカップ部を有する衣類を着用しない女性の割合は高く、その理由としては主にブラジャーによる締め付け感や窮屈さに起因している。しかしながら、就寝時にブラジャーを着用しない場合、バストの形が崩れたり、寝る姿勢を変えることに伴ってバストが移動して安定しないなどの問題があった。
【０００３】
そこで、就寝時に着用できるブラジャーであって、着用時に締め付け感や窮屈さを与えることなくバストを安定保持できるブラジャーが開発されており、特許文献１には、バストを覆うフルカップ状とした左右カップ部のトップ部を囲む上部および下部に中央サポート部を設け、バストを安定的に保持するブラジャーが開示されている。また、特許文献２には、バストの隆起部の基部を移動しないようにカップの脇側、上側、中央前側に設けられたサポート部で保持するブラジャーが開示されている。
【０００４】
しかし、これらのものはいずれも、パッドを設けないフルカップタイプのブラジャーであって、乳房全体を布地により被覆するというものである。よって、乳頭が透けたり、バストの保形性が弱く型崩れする恐れがあった。
【先行技術文献】
【特許文献】
【０００５】
【特許文献１】特許４４１３５４８
【特許文献２】特開２００９−２２８１４６
【発明の概要】
【発明が解決しようとする課題】
【０００６】
本発明は、従来のカップ部を有する衣類のかかる欠点を克服し、就寝時にバストを締め付ける圧迫感が少ないにもかかわらず、バストの形崩れや横流れを効果的に防止することができる就寝時用のカップ部を有する衣類を提供するものである。
【課題を解決するための手段】
【０００７】
本発明は、上記課題を解決するものであり、前身生地と後身生地により胸回りを被覆するカップ部を有する衣類であって、前身生地の裏には乳房を被覆可能な２つのパッドと、前身生地の裏地を構成し前記パッドの辺部に縫着された肌側身生地と、前記パッドの辺部に縫着され２つのパッド同士を連接する伸縮性生地とを備え、さらに着用者の胸部横から脇下にかけて前記前身生地に伸縮性生地の裏当てが縫着されたことを特徴とするカップ部を有する衣類である。
【発明の効果】
【０００８】
本発明のカップ部を有する衣類によれば、モールド加工のパッドを使用することにより、胸の保形性が高いにもかかわらず胸の圧迫感が少なく、横を向いた状態でもパッドが胸にフィットすることにより適切な位置、形にサポートすることができる。特に、着用者の胸部横から脇下にかけて伸縮性生地の裏当てを縫着して生地を３重にすることで、脇からのサポート力を高め、バストが横に流れることを効果的に防ぐことができる。また、パッド同士は伸縮性生地により連接することで、左右にパッドが広がることを防ぎ、バストの形崩れを効果的に防止する。
【図面の簡単な説明】
【０００９】
【図１】本発明に係るハーフトップの正面図。
【図２】本発明に係るハーフトップの背面図。
【図３】本発明に係るハーフトップの斜視図。
【図４】本発明に係るハーフトップの前身生地の裏側をあらわした図。
【図５】本発明に係るハーフトップの胸部横から脇下にかけて設けられた伸縮性生地の態様をあらわした図。
【図６】本発明に係るキャミブラの正面図。
【図７】本発明に係るキャミブラの背面図。
【発明を実施するための形態】
【００１０】
以下、本発明に係るカップ部を有する衣類の一実施態様である就寝用ハーフトップの形態の例について、図面を参照しつつ詳細に説明する。
【００１１】
図１は本発明のハーフトップの正面図、図２は同背面図、図３は同斜視図、図４は本発明のハーフトップの前身生地の裏側をあらわした図である。図中、１（１Ａ、１Ｂ）は胸被覆部、２は脇部、３は後身生地、４はアンダーベルト、５はパッド、６は伸縮性生地、７は肌側身生地、８は肌側身生地、１１は胸被覆部端部、１２は胸被覆部上辺部、２１は脇部端部、２２は脇部上辺部、５１はパッド横辺、５２はパッド横辺、５３はパッド下辺、７１は肌側身生地辺部をそれぞれ示す。
【００１２】
本発明のハーフトップは、大別すると、前身生地および後身生地と、かかる身生地の裏地として設けられる肌側身生地と、乳房の隆起部を被覆する２つのパッドにより構成されている。それらのうち、前身生地は、着用者の胸部を被覆する胸被覆部１（１Ａ、１Ｂ）と、胸被覆部１の端部１１より脇下および肩部へと延設する脇部２から構成される。また、後身生地３は、脇部２の端部２１より背中側および肩へと延設し、肩上において脇部２の上端と縫着されている。また、胸被覆部１、脇部２および後身生地３の下端には、ゴム等の弾性部材を含むアンダーベルト４が設けられている。
【００１３】
図４に示すように、胸被覆部１の裏側には、着用者のバストの隆起を被覆するように、略三角形に形成された２つのパッド５が設けられている。このパッド５は、前身生地の胸被覆部１には直接縫着されておらず、以下の通り、裏地の肌側身生地に縫着されている。すなわち、パッド５の横辺５２には肌側身生地７が縫着され、下辺５３には肌側身生地８がそれぞれ縫着されている。かかる肌側身生地７、８は、パッド５とは縫着されていない辺部が前身生地の胸被覆部１や脇部２に縫着されており、これにより、パッド５を前身生地に対して間接的に保持している。
【００１４】
そして、２つのパッド５の間には伸縮性生地６が設けられ、パッド５の横辺５１に縫着されることにより、２つのパッド５を連接している。かかる伸縮性生地６は略Ｙ字形状に形成されており、その上辺部は胸被覆部１の上辺部１２に沿って縫着され、その横辺部は２つのパッド５の横辺５１および肌側身生地７の辺部７１に沿って縫着され、さらに、肩紐の開始する付近の脇部２にかけて縫着されている。ただし、その上辺は切りっぱなしの状態で縫着されていない。このように、２つのパッド５同士を伸縮性生地６により連接することで、就寝時に左右にパッドが広がることを防ぎ、バストの形崩れを効果的に防止することができる。また、本実施態様では、肌側身生地７から連続して、後身生地３の裏地として肌側身生地（図示せず）が設けられているが、必ずしも、肌側身生地の裏地は必要ではなく、表地としての後身生地３のみでもよい。
【００１５】
さらに、着用者の胸部横から脇下には、伸縮性生地９が前身生地に対して裏当て縫着されている。このように伸縮性生地９は前身生地と肌側身生地の間に設けられているため、外部から直接視認することはできないが、図５では、かかる伸縮性生地９の位置・形状が確認できるよう、他の構成部分を省略してあらわす。図に示すように、伸縮性生地９は、肩紐の開始する付近の脇部２に縫着されている。ただし、その上辺９１は切りっぱなしの状態のまま縫着されていない。また、その横辺９２は、胸被覆部１の端部１１に沿って脇部２に縫着されている。さらに、その横辺９３は、脇部２の辺部２２から端部２１に沿って縫着されている。すなわち、伸縮性生地９は肩紐部分を除く脇部２全体を覆う形状に形成されており、その一部がパッド５の端部にかかる形で前身生地に縫着されている。このように、脇部２に伸縮性生地９の裏当てを縫着することにより、その部分の生地が３重となってサポート力が増し、バストを横から支持して就寝時にバストが横に流れることを防ぐことができる。
【００１６】
本実施態様において、身生地を構成する胸被覆部１、脇部２、および後身生地３の組織としてともに綿ベア天竺により形成されているが、生地の編組織はこれに限らず、フライス、ジャガード等ストレッチ性を有する編組織でも好適に使用できる。使用する素材は綿、レーヨン等のセルロース系素材、ナイロン、ポリエステル、ポリウレタン等の合繊系素材を単独あるいは適宜選択して組み合わせて使用できる。また、肌側の身生地を構成する肌側身生地７および肌側身生地８は、ともに綿天竺生地により形成されているが、生地の組織はこれに限らない。使用する素材は綿、レーヨン等のセルロース系素材、ナイロン、ポリエステル、ポリウレタン等の合繊系素材を単独あるいは適宜選択して組み合わせて使用できる。そして、本実施態様において、伸縮性生地６と伸縮性生地９はともにナイロンなどにポリウレタン弾性繊維を交編して形成されるいわゆるパワーネット等を好適に使用することができる。
【００１７】
本実施態様において、パッド５はウレタン等の弾性素材をモールド加工して形成されている。このように、本発明のハーフトップでは、モールド加工のパッドを使用することにより、胸の保形性が高いにもかかわらず胸の圧迫感が少なく、横を向いた状態でもパッドが胸にフィットすることにより適切な位置、形にサポートすることができる。また、乳頭が透けるおそれもない。なお、パッド５の形状は略三角形に必ずしも限定されるものではないが、本実施態様のように略三角形に形成した方が、その辺部ごとに縫着する生地の伸縮性を変えて、生地の緊締力が働く部分を明確にできるため、好ましい。
【００１８】
図６及び図７は、本発明に係るカップ部を有する衣類の一実施態様であるキャミブラの正面図及び背面図である。図に示すように、キャミブラタイプのものは、胸被覆部１および脇部２の下端に胴部を被覆する前身頃１０１が縫着されており、さらに、前身頃１０１と同じ丈の長さになるよう形成された後身生地３が、脇部２と前身頃１０１の端部より背中側および肩へと延設し、肩上において脇部２の上端と縫着されているが、その他の点においては、前述の就寝用ハーフトップの構成と同様である。
【符号の説明】
【００１９】
１……胸被覆部
２……脇部
３……後身生地
４……アンダーベルト
５……パッド
６……伸縮性生地
７……肌側身生地
８……肌側身生地
９……伸縮性生地    
１１……胸被覆部端部
１２……胸被覆部上辺部
２１……脇部端部
２２……脇部上辺部
５１……パッド横辺
５２……パッド横辺
５３……パッド下辺
７１……肌側身生地辺部
９１……伸縮性生地上辺
９２……伸縮性生地横辺
９３……伸縮性生地横辺
１０１……前身頃
【図１】
2013213304.tif 000003
【図２】
2013213304.tif 000004
【図３】
2013213304.tif 000005
【図４】
2013213304.tif 000006
【図５】
2013213304.tif 000007
【図６】
2013213304.tif 000008
【図７】
2013213304.tif 000009